(57)【要約】  本発明は、単焦点レンズを多焦点またはプログレッシブレンズになるように変換するための装置を記載する。変換プロセスは、度付きの矯正用光学フィルムを単焦点レンズに接着することを有し、それにより該矯正用光学フィルムは該単焦点レンズを多焦点またはプログレッシブレンズになるように変換する。【選択図】図５ａ
2017516161.tif 000002
【特許請求の範囲】
【請求項１】
以下の構成要素を有する多焦点レンズ用装置であって、該構成要素は、最小サイズより大きいサイズを有する度付きの光学的矯正用単焦点レンズと、１つの側が該単焦点レンズの１つの側に対して隣接することになる第１および第２の側を有する度付き矯正用光学フィルムと、該矯正用光学フィルムの該１つの側上に配置される接着用材料であり、該矯正用光学フィルムが該単焦点レンズに接着され、それにより該単焦点レンズが多焦点レンズに変換される、前記装置。
【請求項２】
前記矯正用光学フィルムが、該単焦点レンズをプログレッシブレンズになるように変換する、請求項１に記載の装置。
【請求項３】
前記接着用材料が剥離可能なものである、先行する請求項に記載の装置。
【請求項４】
前記接着用材料が接着剤を有する、先行する請求項に記載の装置。
【請求項５】
前記接着用材料が剥離される接着性裏打ちを有する、先行する請求項に記載の装置。
【請求項６】
前記接着用要素がスプレー式の霧を有する、先行する請求項に記載の装置。
【請求項７】
前記接着用要素が真空を有する、先行する請求項に記載の装置。
【請求項８】
前記光学フィルムが該第１の側上、該第２の側上、またはその両方にある保護フィルムにより保護される、先行する請求項に記載の装置。
【請求項９】
各矯正用光学フィルムを各眼鏡レンズ上に適切に位置付けるために該フィルム上に位置合わせマーカーを更に有する、先行する請求項に記載の装置。
【請求項１０】
各矯正用光学フィルムを各眼鏡レンズ上に適切に位置付けるために位置合わせマーカーが該保護フィルム上にマークされている、請求項９に記載の装置。
【請求項１１】
各フィルム上のカットすべきでない区域の輪郭を示す位置合わせマーカーを更に有する、請求項９に記載の装置。
【請求項１２】
前記位置合わせマーカーが、保護フィルム上にマークされていて各フィルム上のカットすべきでない区域の輪郭を示す、請求項９に記載の装置。
【請求項１３】
前記光学フィルムが、最も一般的な眼鏡のスタイルに従って異なるサイズおよび形状に予めカットされており、眼鏡の形状およびサイズに従って該フィルムをカットする必要性を防止する、先行する請求項に記載の装置。
【請求項１４】
前記光学フィルムが使い捨てのものである、先行する請求項に記載の装置。
【請求項１５】
前記光学フィルムがその使用期限を有する、先行する請求項に記載の装置。
【請求項１６】
前記光学フィルムが、反射防止用のコーティング層を更に有する、先行する請求項に記載の装置。
【請求項１７】
前記光学フィルムが、傷防止用のコーティング層を更に有する、先行する請求項に記載の装置。
【請求項１８】
前記光学フィルムが、眼に対してＵＶ保護を提供する材料を更に有する、先行する請求項に記載の装置。
【請求項１９】
前記単焦点レンズが、光学的矯正機能を何ら行わない、先行する請求項に記載の装置。
【請求項２０】
前記単焦点レンズがＵＶ保護を行う、先行する請求項に記載の装置。
【請求項２１】
患者の眼鏡の少なくとも１つの単焦点レンズに度付き矯正用光学フィルムを貼付することにより該矯正用光学フィルムが該単焦点レンズを多焦点レンズになるように変換する方法であって、当該方法は、
患者の眼鏡のために一般に使用される殆どの単焦点レンズよりも大きい光学フィルムであって、第１および第２の側を有し、１つの側は該単焦点レンズに隣接されるものであり、かつ該第２の側は位置合わせマークを有する、前記光学フィルムを提供することと、
該患者が該眼鏡を装用しながら、該患者の目の瞳の中心を該単焦点レンズ上に消去可能なマーカーを用いてマークして、該マークを該眼鏡の前記レンズ上にマークすることと、
該単焦点眼鏡レンズ上にマークしたマークと共に該光学フィルム上にプリントされたマークに従って、前記矯正用光学フィルムを該眼鏡レンズに対して位置合わせすることと、
前記矯正用光学フィルムを該眼鏡レンズに接着することと、
該単焦点眼鏡レンズおよび該光学フィルムの両方から該マークを消去することと、
該単焦点レンズの最大のサイズおよび形状に前記度付き矯正用光学フィルムをカットすることと
を有し、それにより該矯正用光学フィルムが該単焦点レンズを多焦点レンズになるように変換する、前記方法。
【発明の詳細な説明】
【技術分野】
【０００１】
本発明は、多焦点の眼科用レンズ、プログレッシブレンズ、レンズ設計、眼鏡に関する。より詳細には、本発明は、単焦点レンズ（シングルビジョンレンズ）を多焦点またはプログレッシブレンズに変換することに関する。
【背景技術】
【０００２】
老眼は、通常、多焦点眼鏡、プログレッシブ眼鏡またはコンタクトレンズを用いて処置される。半成品のレンズの研磨や成形など、プログレッシブレンズを作成し製造するための多くの方法が当該技術分野において知られている。ＬＡＳＩＫやその他の種類の外科手術によっては、４０歳以上のほぼ全ての人に徐々に影響するこの自然の現象を防止または治癒できない。老眼が引き起こす視覚上の影響は何年にもわたってゆっくりと悪化し、レンズの処方の新たな変化を必要とすることがあるが、６５歳または７０歳までには安定する。
【０００３】
老眼および他の調節障害を矯正するために、矯正レンズが眼鏡に使用されている。老眼の基本的な解決策としては、多焦点の眼鏡レンズの使用である。多焦点の眼鏡レンズは、あらゆる距離の物体を見ることを補助するために２以上のレンズ度数を含み、二焦点は２つのレンズ度数を含み、三焦点は３つのレンズ度数を含む。
【０００４】
プログレッシブ眼鏡レンズは、他の屈折異常のための装用者の矯正のために加入される、増加するレンズ度数の勾配により特徴付けられる。勾配は、レンズ上部において装用者の距離の処方で始まり、レンズ下部において最大加入度数、または完全読書加入度（full reading addition）に達する。レンズ中央の加入度は、通常、コンピュータスクリーン上の文字を読むことを可能とする。レンズ表面上の漸増する度数勾配の長さはレンズの設計に依存し、最終加入度数は０．７５〜３．５０ジオプターである。処方される加入度の値は、患者の老眼の度合に依存する。
【０００５】
多焦点の眼鏡およびプログレッシブレンズの主な欠点は、高いコスト、および専門的な調節を必要とすることである。
【０００６】
そのため、必要とする誰もがプログレッシブレンズを使用することができる非常に低価格を維持しながら、老眼の問題に対する合理的な解決手段を提供する方法およびシステムが必要とされている。そのような解決手段は、通常、専門的な調節を必要としないものであろう。
【０００７】
先行技術の説明
従来の眼鏡を変換する多くの手段がある。
【０００８】
ＵＳ  ２，５１１，３２９には、眼鏡レンズ用カバーが記載されており、該カバーは、実質的にレンズのサイズおよび形状の色付き透明材料の薄い平面シートと、該シートの片側上の接着剤とを有し、該シートは、自由に除去できる区域を確立する線に沿って弱化されている。
【０００９】
ＵＳ  ２，７５９，３９４には、凹凸レンズ用グレアシールドが記載されており、該シールドは、均一な厚みを有する、全体プラン寸法が該レンズよりも大きくない色付き透明材料の、薄い、予め形成された、実質的に非伸縮性の自立性シートを有し、該シートは、該レンズの凹面に沿うように予め定められた凹形状に予め形成された狭い周囲境界部分を有し、該境界部分の内側周囲内の該シートの残りの中央主要部分は、該凸レンズ表面の凸曲率よりも大きい凹曲率になるカーブ状に予め形成されており、それにより、該境界部分が該レンズ表面の周囲内の該凸レンズ表面に沿って接触した時に、該中央主要部分は、該凸レンズ表面と接触せず、該レンズに該シートを取り外し可能に接着するための該境界部分のレンズ係合面上のみにある感圧接着剤の層を有し、かつ、該境界部分のアップセット部分は、該シートの周囲の境界内に位置する程度に制限されており、かつ該境界部分により確立される曲線経路の外に上に向けて立つように予め形成されており、それによりレンズから該シートを除去する目的のために該アップセット部分と該レンズ表面との間においてその下に指の爪を十分に受け入れるようになっており、該アップセット部分は、拡大許容範囲により、該境界部分の正確な曲率を提供し、わずかに異なる凸状外側表面の曲率のレンズをフィットさせる。
【００１０】
ＵＳ  ３，６２８，８５４には、薄い完全に快適なプラスチック膜が記載されており、該膜は、眼鏡レンズの１以上の光学的特徴を迅速かつ一時的に変更するために指の圧力を用いて眼鏡レンズに適用して接着できる。膜は、フレネル型レンズや光線の偏光を導入するためのプリズム構造を形成するためにその表面の一つがエンボス加工されていてもよく、特定の波長の光のみを透過するよう部分的または完全に有色とされてもよく、拡散され、または均一もしくは差次的にぼやけていてもよく、選択的な不透明もしくは透過区域またはそれらの組み合わせを有していてもよい。
【００１１】
ＵＳ  Ｎｏ．５，７６４，３３３には、眼鏡用のサンシールドを作成するための方法およびキットが記載されている。サンシールドは、静電引力により眼鏡のレンズ上に保持されるスムースプラスチックフィルムの柔軟で透明なシートである。サンシールドは、向かい合う平行な表面を有するスムースプラスチックフィルムから作られており、該表面は、レンズ表面に一致させるようにフィルムをカーブさせてもよいことを除いて平らかつ平面的であり、一部の入射電磁放射を吸収する。該方法は、筆記用材料のシート上に眼鏡を置き、筆記具を用いてシート上の眼鏡のレンズの輪郭をトレースする工程と、シート上の輪郭に沿って切り取ることによりレンズシルエットを取得する工程と、シルエットを眼鏡のレンズと比較してこれらが一致するかを調べ、スムースプラスチックフィルムのシート上にシルエットを置く工程と、シルエットの縁に沿ってプラスチックフィルムを切り取る工程とを有する。サンシールドに帯電を付与できる内側表面上の材料を有するサンシールド用キャリーケースもまた該発明に含まれる。
【００１２】
ＵＳ  ６，２９０，３５４において、美感に優れた矯正用アイウェア付属具を用いて、サングラス、スキーのゴーグル、ダイビングマスクなどの非矯正アイウェアを容易かつ経済的に視覚を矯正するものにできる。該付属具は、矯正用鼻ピースコネクタおよび／または回転レンズを有し得る。回転レンズにより、矯正レンズにより乱視を矯正する時などの特定のレンズ配向を必要とする組立式矯正レンズがより経済的になる。
【００１３】
ＵＳ  ７０３６９２９  Ｂには、使い捨て光学フィルムを眼鏡レンズに適用してそこから除去するための装置および方法が記載されている。該発明の使い捨て光学フィルムは、眼鏡レンズへの取り外し可能な取り付けのために片側上に接着性要素を有する。接着性要素は、矯正フィルムのパラメータを定義するインディシア（indicia）を有するピール・スティックの裏打ちにより保護されているため、ユーザーは、矯正フィルムの完全性を妥協することなく多様な眼鏡スタイルの適切なサイズおよび形状に矯正フィルムを切り取ることができる。
【００１４】
上述したもののいずれも、老眼の問題に対する合理的な低コストの解決手段を提供しない。
【発明の概要】
【００１５】
従って、本発明の目的は、光学的矯正ステッカーを通常の低コストのレンズに貼付することによる、視覚の問題に対する合理的な低コストの解決手段を提供する方法およびシステムを提供することである。
【００１６】
本発明の一つの実施形態によれば、透明な弾性材料で作られ、ステッカーとして実装されたプログレッシブレンズが、通常の単焦点眼鏡に貼付される。ステッカーの貼付は、レンズ製造プロセスの間に、または販売員もしくは顧客自身によって為され得る。
【００１７】
本発明の別の実施形態によれば、透明な弾性材料で作られ、ステッカーとして実装された光学的矯正具が、乱視などの光学的視覚障害を矯正するために通常の単焦点眼鏡に貼付される。
【００１８】
本発明を理解し、かつどのように実施し得るかを示すために、添付の図面を参照して、単に非限定的な実施例によってこれより実施形態を説明する。
【図面の簡単な説明】
【００１９】
【図１】図１は、プログレッシブまたは多焦点レンズに変換するために矯正用光学フィルムが貼付される通常の単焦点レンズを示す。
【図２ａ】図２ａは、本発明による矯正用光学フィルムの一つの実施形態の典型的な横断面を示す。
【図２ｂ】図２ｂは、本発明による矯正用光学フィルムの別の実施形態の典型的な横断面を示す。
【図３】図３は、透明な接着性裏打ちを含む本発明の矯正用光学フィルムを示す。
【図４ａ】図４ａは、各側に１つずつの２つのフィルムにて保護されている矯正用光学フィルムを示す。
【図４ｂ】図４ｂは、１つの保護フィルム上の単純な位置合わせマークを示す。
【図５ａ】図５ａは、通常の単焦点レンズの外側表面に接着した矯正用光学フィルムの横断面を示す。
【図５ｂ】図５ｂは、通常の単焦点レンズの内側表面に接着した矯正用光学フィルムの横断面を示す。
【図６ａ】図６ａは、視覚がぼやけることなく未だはっきりしている標的への最大距離の測定を示す。
【図６ｂ】図６ｂは、視覚がぼやけることなく未だはっきりしている標的への最短距離の測定を示す。
【図７】図７は、各眼の瞳が位置する点の印付けを示す。
【発明を実施するための形態】
【００２０】
以下の記述により本発明の実施形態を詳細に説明する。しかしながら、当業者は無数の他の実施形態も認識するであろうから、これらの特定の実施形態に本発明が限定されると解してはならない。
【００２１】
図１は、通常の単焦点レンズ１００を示し、これに矯正用光学フィルム１２０が適用され、通常の単焦点レンズはプログレッシブまたは多焦点レンズに変換される。透明な弾性材料で作られ、ステッカーとして実装された矯正用フィルム１２０は、透過性接着材を用いて通常の単焦点レンズ１００に貼付される。矯正用光学フィルム１２０は、通常の単焦点レンズ１００の前方表面または後方表面に接着されてよい。２以上の異なる矯正用光学フィルムを通常の単焦点レンズ１００の前方表面および後方表面に接着してもよい。単焦点レンズ１００は、光学的矯正価値を何ら有しない透過性材料として実装されてもよい。
【００２２】
図２ａおよび図２ｂは、本発明の２つの実施形態による矯正用光学フィルム１２０の典型的な横断面を示す。光学フィルム１２０は、通常の単焦点レンズの焦点距離を異なって矯正すべく、異なる領域について異なる光学度数を有してもよい。一つの実施形態（図２２ａ）において、フィルム１２０は自由形状を有していてもよい。別の実施形態（図２ｂ）において、フィルム１２０は、異なる位置において異なる厚みおよび異なる曲率である別個の領域１２１、１２２、および１２３を有してもよい。代替的または追加的には、フィルムは段階的なインデックス特性を有してもよく、これは、該通常の単焦点レンズの焦点距離を異なる領域において異なって変化させる異なる光学度数を有するために、均一または不均一の厚みおよび曲率を有する異なる領域における異なる屈折率を意味する。段階的なインデックス特性は、ＵＶ光、中性子照射または化学蒸着による部分重合等の産業上知られる任意の公知の方法により作り出してよい。矯正用光学フィルム１２０は、使い捨てであってもよいし、または寿命限界を有してもよく、反射防止および／または傷防止コーティング、および／またはＵＶ保護材料、および／または当該技術分野で現在知られる他の追加的な光学機能等の他の構成要素を有してもよい。
【００２３】
図３は、プログレッシブまたは多焦点レンズに変換すべきレンズにフィルムを接着するための透過性の接着性裏打ち１３０を有する本発明の矯正用光学フィルム１２０を示す。接着性裏打ちは、永久的なまたは剥離される接着性裏打ちであってもよく、スプレー式の霧による自己粘着性の裏打ち、またはスプレー式の霧もしくはフィルムを該レンズに効果的に接着させるための任意の他の好適な手段による任意の他の好適な裏打ちであってもよい。更には、接着する側がサングラスに時期尚早に粘着しないように、フィルムが適所になる前にそれを位置合わせするためにスプレーの水を適用することができる。
【００２４】
図４ａおよび図４ｂは、各側に１つの２つのフィルム２００および２１０により保護された時の本発明の矯正用光学フィルム１２０を示す。保護フィルム２００は接着性基材１３０を保護し、矯正用光学フィルム１２０を該単焦点レンズに貼付する直前に除去される。保護フィルム２１０は、矯正用光学フィルム１２０の外側を保護し、通常は、携帯電話の傷防止スクリーン保護を貼付するのに通常使用するのと同様の処理にて矯正用光学フィルム１２０を該単焦点レンズに貼付した後に除去される。保護フィルム２１０上に位置合わせマーク２２０があってもよく、この目的は、矯正すべきレンズ上の正しい位置に矯正用光学フィルム１２０を調整するためである。矯正用光学フィルム１２０の光学区域へのダメージを防止するために、他のマークによりカットすべきでない区域を示してもよい。保護フィルムを用いない場合、このような消去可能なマークは、矯正用光学フィルム１２０自体に直接的に見られ、矯正用光学フィルム１２０を眼鏡レンズ１００に貼付した後に消去されるであろう。
【００２５】
図５ａおよび図５ｂは、プログレッシブまたは多焦点レンズに変換すべき通常の単焦点レンズ１００に接着された矯正用光学フィルム１２０の横断面を示す。本発明の一つの実施形態（図５ａ）において、矯正用光学フィルム１２０は、通常の単焦点レンズ１００の外側（患者の眼から遠い）に接着される。本発明の別の実施形態（図５ｂ）において、矯正用光学フィルム１２０は、通常の単焦点レンズ１００の内側（患者の眼とレンズとの間）に接着される。単焦点レンズ１００は、多焦点レンズ中に異なる光学領域を可能とするための最小サイズでなければならず、フィルム１２０は、通常、単焦点レンズ１００より大きいであろう。このような場合、フィルム１２０は、それが取り付けられるレンズのサイズおよび形状に調整すべくカットされる。フィルム１２０は、それをレンズに貼付する前または後にカットされてもよい。本発明の別の実施形態において、フィルム１２０は、眼鏡の特定の共通のモデルおよびスタイルに適合する予め定められたサイズであってよく、従ってそれをカットする必要性が除去されることになる。
【００２６】
図６ａおよび６ｂは、眼鏡３５０の２つの単焦点レンズ３００および３２０に対して適切な矯正用光学フィルムを調整し、該２つの単焦点レンズをプログレッシブまたは多焦点レンズに変換するための方法を示す。単焦点レンズを有する該眼鏡３５０を装用する消費者２５０は、２つの試験を行う必要がある。１つの試験は、ぼやけることなく依然として視覚がはっきりしている標的４００までの最大距離４１０を測定することである（図６ａ）。２つ目の試験は、ぼやけることなく依然として視覚がはっきりしている標的４００までの最小距離４２０を測定することである（図６ｂ）。これらの２つの試験は、眼鏡を装用したまま各目について行われる必要がある。これら２セットの距離４１０および４２０から、各目について適切な矯正用光学フィルムが選択される。
【００２７】
図７は、プログレッシブまたは多焦点レンズに変換すべき単焦点レンズのそれぞれの適切な位置に矯正用光学フィルムを一致させるための方法を示す。変換すべき該単焦点レンズを有する該眼鏡３５０を装用する消費者２５０は、既知の距離に位置する単一の標的点４００を両目で見る必要がある。消費者自身または販売員は、各目の各瞳が位置する点４５０および４６０を眼鏡の各レンズ上に消去可能なマーカーによりマークされるべきである。矯正フィルムが変換すべき各レンズに貼付された時に、このマークを保護フィルム２１０上の位置合わせマーク２２０（図４ａおよび図４ｂ）に一致させる。矯正フィルムがレンズの後方表面に貼付される場合、点４５０はレンズの前方表面にマークされ、その逆も然りである。位置合わせの完了後、位置合わせに必要な全てのマークを消去してもよい。矯正用光学フィルムの外側に保護フィルム２１０を用いる場合、この保護フィルムの除去は位置合わせマークも除去し、矯正用フィルムからあらゆるマークを取り去ることとなる。
【図１】
2017516161.tif 000003
【図２ａ】
2017516161.tif 000004
【図２ｂ】
2017516161.tif 000005
【図３】
2017516161.tif 000006
【図４ａ】
2017516161.tif 000007
【図４ｂ】
2017516161.tif 000008
【図５ａ】
2017516161.tif 000009
【図５ｂ】
2017516161.tif 000010
【図６ａ】
2017516161.tif 000011
【図６ｂ】
2017516161.tif 000012
【図７】
2017516161.tif 000013
【国際調査報告】
2017516161.tif 000014
2017516161.tif 000015